(57)【要約】【課題】消費者に農産物の選択メニューを提供し、簡単に希望の農産物を注文できるとともに、的確に希望の農産物を栽培することができるシステムを提供する。【解決手段】携帯端末３００は、農産物の品質が複数のランクに分けられた希望品質選択メニュー３１１を表示するメニュー表示部３２０を備え、情報処理装置１００は、希望品質選択メニュー３１１から選択された農産物の品質のランクを希望農産物情報１３１として記憶する処理側希望品質記憶部１２０と、各ランクに対し栽培環境情報が予め設定された栽培環境テーブル１３２と、栽培環境テーブル１３２から希望環境情報１３３の示すランクに対応する希望環境情報１３３を抽出する処理側希望環境抽出部１４０と、希望環境情報１３３を植物工場２００へ送信する処理側送信部１５０とを備え、植物工場２００は、希望環境情報１３３に基づいて環境調整機器２２０の制御を実行する栽培環境制御部２１０を備える。【選択図】図１
2016000001.tif 000002
【特許請求の範囲】
【請求項１】
表示画面を有する端末装置と、農産物を栽培する農産物栽培装置と、前記端末装置と通信するとともに前記農産物栽培装置と通信する情報処理装置とを備える情報処理システムにおいて、
前記端末装置は、
前記農産物の品質が複数のランクに分けられた品質選択メニューを前記表示画面に表示する端末側メニュー表示部を備え、
前記情報処理装置は、
前記端末側メニュー表示部に表示された前記品質選択メニューから前記農産物の品質のランクが選択されると、選択された前記農産物の品質のランクを受信し、受信した前記農産物の品質のランクを希望品質ランクとして記憶する処理側希望品質記憶部と、
前記端末側メニュー表示部に表示される前記農産物の品質の複数のランクの各ランクに対して、前記農産物の品質が各ランクになるように栽培するための栽培環境情報が予め設定された栽培環境テーブルを記憶する処理側テーブル記憶部と、
前記処理側テーブル記憶部に記憶された前記栽培環境テーブルから、前記処理側希望品質記憶部に記憶された前記希望品質ランクに相当するランクに対応する前記栽培環境情報を希望環境情報として抽出する処理側希望環境抽出部と、
前記処理側希望環境抽出部により抽出された前記希望環境情報を前記農産物栽培装置へ送信する処理側送信部と
を備え、
前記農産物栽培装置は、
前記農産物を栽培する環境を調整する環境調整機器と、
前記処理側送信部から前記希望環境情報を受信し、受信した前記希望環境情報に基づいて前記環境調整機器の制御を実行し、前記制御によって、前記環境調整機器を介して前記環境を調整する栽培側環境制御部と
を備えることを特徴とする情報処理システム。
【請求項２】
前記端末側メニュー表示部は、さらに、
前記農産物栽培装置が配置されている複数の地域を表す地域選択メニューを前記表示画面に表示し、
前記処理側希望品質記憶部は、さらに、
前記端末側メニュー表示部に表示された前記地域選択メニューから特定の地域が選択されると、選択された特定の地域を受信し、受信した特定の地域を希望地域として記憶し、
前記処理側送信部は、
前記処理側希望品質記憶部により記憶された前記希望地域に配置されている前記農産物栽培装置に前記希望環境情報を送信する
ことを特徴とする請求項１に記載の情報処理システム。
【請求項３】
前記端末側メニュー表示部は、
前記品質選択メニューとして、前記農産物の複数の属性が前記農産物の品質として採用され、前記農産物の複数の属性の各属性が複数のランクに分けられた属性選択メニューを前記表示画面に表示し、
前記処理側希望品質記憶部は、
前記メニュー表示部に表示された前記属性選択メニューから前記農産物の各属性のランクが選択されると、選択された前記農産物の各属性のランクを受信し、受信した前記農産物の各属性のランクを前記希望品質ランクとして記憶する
ことを特徴とする請求項１又は２に記載の情報処理システム。
【請求項４】
前記端末側メニュー表示部は、
前記農産物の大きさ、色、味、及び食感が前記農産物の複数の属性として採用され、前記農産物の大きさ、色、味、及び食感がそれぞれ複数のランクに分けられた前記属性選択メニューを前記表示画面に表示し、
前記処理側希望品質記憶部は、
前記メニュー表示部に表示された前記属性選択メニューから前記農産物の大きさ、色、味、及び食感のそれぞれのランクが選択されると、選択された前記農産物の大きさ、色、味、及び食感のそれぞれのランクを受信し、受信した前記農産物の大きさ、色、味、及び食感のそれぞれのランクを前記希望品質ランクとして記憶する
ことを特徴とする請求項３に記載の情報処理システム。
【請求項５】
前記農産物栽培装置は、
前記農産物を栽培する環境を示す環境数値を検出し、検出した前記環境数値を送信する検出部を備え、
前記情報処理装置は、
前記検出部から送信された前記環境数値を受信し、受信した環境数値に基づいて、前記環境調整機器を制御するための環境修正情報を生成する環境修正情報生成部を備え
前記処理側送信部は、
前記環境修正情報生成部により生成された前記環境修正情報を前記栽培側環境制御部に送信し、
前記栽培側環境制御部は、
前記処理側送信部から前記環境修正情報を受信し、受信した前記環境修正情報に基づいて前記環境調整機器の修正制御を実行し、前記修正制御によって、前記環境調整機器を介して前記環境を修正する
ことを特徴とする請求項１〜４のいずれかに記載の情報処理システム。
【請求項６】
表示画面を有する端末装置と通信するとともに、農産物を栽培する農産物栽培装置と通信する情報処理装置において、
前記農産物の品質が複数のランクに分けられた品質選択メニューであって前記端末装置の前記表示画面に表示された品質選択メニューから前記農産物の品質のランクが選択されると、選択された前記農産物の品質のランクを前記端末装置から受信し、受信した前記農産物の品質のランクを希望品質ランクとして記憶する処理側希望品質記憶部と、
前記表示画面部に表示される前記農産物の品質の複数のランクの各ランクに対して、前記農産物の品質が各ランクになるように栽培するための栽培環境情報が予め設定された栽培環境テーブルを記憶する処理側テーブル記憶部と、
前記処理側テーブル記憶部に記憶された前記栽培環境テーブルから前記処理側希望品質記憶部に記憶された前記希望品質ランクに相当するランクに対応する前記栽培環境情報を希望環境情報として抽出する処理側希望環境抽出部と、
前記処理側希望環境抽出部により抽出された前記希望環境情報を前記農産物栽培装置へ送信する処理側送信部と
を備えることを特徴とする情報処理装置。
【請求項７】
表示画面を有する端末装置であって、農産物を栽培する農産物栽培装置と通信する情報処理装置と通信する端末装置において、
前記農産物の品質が複数のランクに分けられた品質選択メニューを前記表示画面に表示する端末側メニュー表示部と、
前記端末側メニュー表示部に表示された前記品質選択メニューから前記農産物の品質のランクが選択されると、選択された前記農産物の品質のランクを前記情報処理装置に送信する端末側送信部と
を備えたことを特徴とする端末装置。
【請求項８】
前記情報処理装置は、
前記端末側送信部により送信された前記農産物の品質のランクを受信し、受信した前記農産物の品質のランクを希望品質ランクとして記憶する処理側希望品質記憶部と、
前記表示画面部に表示される前記農産物の品質の複数のランクの各ランクに対して、前記農産物の品質が各ランクになるように栽培するための栽培環境情報が予め設定された栽培環境テーブルを記憶する処理側テーブル記憶部と、
前記処理側テーブル記憶部に記憶された前記栽培環境テーブルから前記処理側希望品質記憶部に記憶された前記希望品質ランクに相当するランクに対応する前記栽培環境情報を希望環境情報として抽出する処理側希望環境抽出部と、
前記処理側希望環境抽出部により抽出された前記希望環境情報を前記農産物栽培装置へ送信する処理側送信部と
を備えることを特徴とする請求項７に記載の端末装置。
【請求項９】
前記端末側メニュー表示部は、さらに、
前記農産物栽培装置が配置されている複数の地域を表す地域選択メニューを前記表示画面に表示し、
前記端末側送信部は、さらに、
前記端末側メニュー表示部に表示された前記地域選択メニューから特定の地域が選択されると、選択された特定の地域を前記情報処理装置に送信する
ことを特徴とする請求項７または８に記載の端末装置。
【発明の詳細な説明】
【技術分野】
【０００１】
本発明は、情報処理システム及び情報処理装置及び端末装置に関するものである。
関する。
【背景技術】
【０００２】
近年、施設内で、植物の生育に必要な環境を空調、風量、養液供給等により人工的に制御し、季節を問わず連続的に安全な農産物を生産できるシステム（植物工場）が開発されている。植物工場は、安全な食料の供給、食材の周年供給などを目的とした、環境保全型の生産システムである。
また、このような植物工場で生産される農産物は、短期間で出荷することができることも特徴である。
【０００３】
従来技術として、ユーザが栽培する栽培環境を管理し、より適切なレコメンデーションを提供することができるシステムがある（特許文献１参照）。
【先行技術文献】
【特許文献】
【０００４】
【特許文献１】特開２０１２−０４４９３０号公報
【発明の概要】
【発明が解決しようとする課題】
【０００５】
近年、消費者において農産物に対するニーズは多様化している。しかし、消費者が農産物を注文生産するには、手間もコストもかかるという課題があった。
【０００６】
本発明は、例えば、上記のような課題を解決するためになされたものであり、消費者が携帯端末から所望の農産物を注文することができるとともに、消費者の希望情報を自動的に植物工場の制御に反映させることで、簡単に所望の農産物を提供することを目的とする。
【課題を解決するための手段】
【０００７】
本発明に係る情報処理システムは、表示画面を有する端末装置と、農産物を栽培する農産物栽培装置と、前記端末装置と通信するとともに前記農産物栽培装置と通信する情報処理装置とを備える情報処理システムにおいて、
前記端末装置は、
前記農産物の品質が複数のランクに分けられた品質選択メニューを前記表示画面に表示する端末側メニュー表示部を備え、
前記情報処理装置は、
前記端末側メニュー表示部に表示された前記品質選択メニューから前記農産物の品質のランクが選択されると、選択された前記農産物の品質のランクを受信し、受信した前記農産物の品質のランクを希望品質ランクとして記憶する処理側希望品質記憶部と、
前記端末側メニュー表示部に表示される前記農産物の品質の複数のランクの各ランクに対して、前記農産物の品質が各ランクになるように栽培するための栽培環境情報が予め設定された栽培環境テーブルを記憶する処理側テーブル記憶部と、
前記処理側テーブル記憶部に記憶された前記栽培環境テーブルから、前記処理側希望品質記憶部に記憶された前記希望品質ランクに相当するランクに対応する前記栽培環境情報を希望環境情報として抽出する処理側希望環境抽出部と、
前記処理側希望環境抽出部により抽出された前記希望環境情報を前記農産物栽培装置へ送信する処理側送信部と
を備え、
前記農産物栽培装置は、
前記農産物を栽培する環境を調整する環境調整機器と、
前記処理側送信部から前記希望環境情報を受信し、受信した前記希望環境情報に基づいて前記環境調整機器の制御を実行し、前記制御によって、前記環境調整機器を介して前記環境を調整する栽培側環境制御部と
を備えることを特徴とする。
【０００８】
前記端末側メニュー表示部は、さらに、
前記農産物栽培装置が配置されている複数の地域を表す地域選択メニューを前記表示画面に表示し、
前記処理側希望品質記憶部は、さらに、
前記端末側メニュー表示部に表示された前記地域選択メニューから特定の地域が選択されると、選択された特定の地域を受信し、受信した特定の地域を希望地域として記憶し、
前記処理側送信部は、
前記処理側希望品質記憶部により記憶された前記希望地域に配置されている前記農産物栽培装置に前記希望環境情報を送信する
ことを特徴とする。
【０００９】
前記端末側メニュー表示部は、
前記品質選択メニューとして、前記農産物の複数の属性が前記農産物の品質として採用され、前記農産物の複数の属性の各属性が複数のランクに分けられた属性選択メニューを前記表示画面に表示し、
前記処理側希望品質記憶部は、
前記メニュー表示部に表示された前記属性選択メニューから前記農産物の各属性のランクが選択されると、選択された前記農産物の各属性のランクを受信し、受信した前記農産物の各属性のランクを前記希望品質ランクとして記憶する
ことを特徴とする。
【００１０】
前記端末側メニュー表示部は、
前記農産物の大きさ、色、味、及び食感が前記農産物の複数の属性として採用され、前記農産物の大きさ、色、味、及び食感がそれぞれ複数のランクに分けられた前記属性選択メニューを前記表示画面に表示し、
前記処理側希望品質記憶部は、
前記メニュー表示部に表示された前記属性選択メニューから前記農産物の大きさ、色、味、及び食感のそれぞれのランクが選択されると、選択された前記農産物の大きさ、色、味、及び食感のそれぞれのランクを受信し、受信した前記農産物の大きさ、色、味、及び食感のそれぞれのランクを前記希望品質ランクとして記憶する
ことを特徴とする。
【００１１】
前記農産物栽培装置は、
前記農産物を栽培する環境を示す環境数値を検出し、検出した前記環境数値を送信する検出部を備え、
前記情報処理装置は、
前記検出部から送信された前記環境数値を受信し、受信した環境数値に基づいて、前記環境調整機器を制御するための環境修正情報を生成する環境修正情報生成部を備え
前記処理側送信部は、
前記環境修正情報生成部により生成された前記環境修正情報を前記栽培側環境制御部に送信し、
前記栽培側環境制御部は、
前記処理側送信部から前記環境修正情報を受信し、受信した前記環境修正情報に基づいて前記環境調整機器の修正制御を実行し、前記修正制御によって、前記環境調整機器を介して前記環境を修正する
ことを特徴とする。
【００１２】
本発明に係る情報処理装置は、
表示画面を有する端末装置と通信するとともに、農産物を栽培する農産物栽培装置と通信する情報処理装置において、
前記農産物の品質が複数のランクに分けられた品質選択メニューであって前記端末装置の前記表示画面に表示された品質選択メニューから前記農産物の品質のランクが選択されると、選択された前記農産物の品質のランクを前記端末装置から受信し、受信した前記農産物の品質のランクを希望品質ランクとして記憶する処理側希望品質記憶部と、
前記表示画面部に表示される前記農産物の品質の複数のランクの各ランクに対して、前記農産物の品質が各ランクになるように栽培するための栽培環境情報が予め設定された栽培環境テーブルを記憶する処理側テーブル記憶部と、
前記処理側テーブル記憶部に記憶された前記栽培環境テーブルから前記処理側希望品質記憶部に記憶された前記希望品質ランクに相当するランクに対応する前記栽培環境情報を希望環境情報として抽出する処理側希望環境抽出部と、
前記処理側希望環境抽出部により抽出された前記希望環境情報を前記農産物栽培装置へ送信する処理側送信部と
を備えることを特徴とする。
【００１３】
本発明に係る端末装置は、
表示画面を有する端末装置であって、農産物を栽培する農産物栽培装置と通信する情報処理装置と通信する端末装置において、
前記農産物の品質が複数のランクに分けられた品質選択メニューを前記表示画面に表示する端末側メニュー表示部と、
前記端末側メニュー表示部に表示された前記品質選択メニューから前記農産物の品質のランクが選択されると、選択された前記農産物の品質のランクを前記情報処理装置に送信する端末側送信部と
を備えたことを特徴とする。
【００１４】
前記情報処理装置は、
前記端末側送信部により送信された前記農産物の品質のランクを受信し、受信した前記農産物の品質のランクを希望品質ランクとして記憶する処理側希望品質記憶部と、
前記表示画面部に表示される前記農産物の品質の複数のランクの各ランクに対して、前記農産物の品質が各ランクになるように栽培するための栽培環境情報が予め設定された栽培環境テーブルを記憶する処理側テーブル記憶部と、
前記処理側テーブル記憶部に記憶された前記栽培環境テーブルから前記処理側希望品質記憶部に記憶された前記希望品質ランクに相当するランクに対応する前記栽培環境情報を希望環境情報として抽出する処理側希望環境抽出部と、
前記処理側希望環境抽出部により抽出された前記希望環境情報を前記農産物栽培装置へ送信する処理側送信部と
を備えることを特徴とする。
【００１５】
前記端末側メニュー表示部は、さらに、
前記農産物栽培装置が配置されている複数の地域を表す地域選択メニューを前記表示画面に表示し、
前記端末側送信部は、さらに、
前記端末側メニュー表示部に表示された前記地域選択メニューから特定の地域が選択されると、選択された特定の地域を前記情報処理装置に送信する
ことを特徴とする。
【発明の効果】
【００１６】
本発明に係る情報処理システムによれば、携帯端末から農産物の希望の品質のランクを選択することができるとともに、自動的に希望の品質のランクの農産物を栽培するための情報を農産物栽培装置へ送信することができるので、簡単かつ短期間で希望に沿った農産物を的確に提供することができるという効果を奏する。
【図面の簡単な説明】
【００１７】
【図１】実施の形態１に係る情報処理システム５００のブロック構成図である。
【図２】実施の形態１に係る情報処理装置１００、植物工場２００の栽培環境制御部２１０のハードウェア資源の一例を示す図である。
【図３】実施の形態１に係る携帯端末３００の希望情報取得方法を示すフローチャートである。
【図４】実施の形態１に係る情報処理システム５００の処理の流れを示す模式図である。
【図５】実施の形態１に係る希望品質選択メニュー３１１の一例である。
【図６】実施の形態１に係る希望地域選択メニュー３１２の一例である。
【図７】実施の形態１に係る情報処理装置１００の農産物提供処理の流れを示すフローチャートである。
【図８】実施の形態１に係る希望農産物情報１３１の構成を示す図である。
【図９】実施の形態１に係る栽培環境テーブル１３２の構成を示す図である。
【図１０】実施の形態１に係る希望環境情報１３３の構成を示す図である。
【図１１】実施の形態２に係る情報処理システム５０１のブロック構成図である。
【図１２】実施の形態２に係る栽培管理テーブル１３４の構成を示す図である。
【図１３】実施の形態２に係る情報処理システム５０１の栽培環境監視処理の流れを示すフローチャートである。
【図１４】実施の形態２に係る情報処理システム５０１の処理の流れを示す模式図である。
【図１５】実施の形態２に係るセンサー情報１３６の構成を示す図である。
【発明を実施するための形態】
【００１８】
実施の形態１．
図１は、本実施の形態に係る情報処理システム５００のブロック構成図である。
本実施の形態に係る情報処理システム５００は、予めシステムに加入（登録）している顧客（顧客が利用する携帯端末３００）に対して、農産物提供サービスを提供するシステムである。
情報処理システム５００は、例えば、携帯端末３００に対して、インターネット等のネットワーク４００を介してプログラム（メニュー画面）を提供し、顧客により選択された希望の品質（属性）（色・味・食感・大きさ）の農産物を希望する場所で栽培し、顧客に提供する農産物提供システムである。
【００１９】
本実施の形態に係る情報処理システム５００は、表示画面３１０を有する携帯端末３００（端末装置）と、農産物を栽培する植物工場２００（農産物栽培装置）と、携帯端末３００とネットワーク４００を介して通信するとともに植物工場２００と通信する情報処理装置１００とを備える。
情報処理装置１００は、顧客の選定した好みの農産物に必要な栽培環境情報をデータベースより抽出し、ネットワーク４００等を介して抽出した栽培環境情報を植物工場２００へ送信し、植物工場２００による農産物の栽培を支援する農産物提供装置である。
【００２０】
情報処理システム５００は、ユーザ（顧客）が携帯端末３００から希望の農産物の品質のランクを送信すると、送信された農産物の品質のランクに相当する農産物を植物工場２００において自動的に栽培制御することができるシステムである。
【００２１】
図１に示すように、情報処理システム５００は、情報処理装置１００、植物工場２００、携帯端末３００を備える。
【００２２】
携帯端末３００は、インターネット等のネットワーク４００を介して情報処理装置１００と通信する端末装置の一例である。携帯端末３００は、例えば、携帯情報端末（スマートフォン）、ＰＣ（パーソナル・コンピュータ）等である。
携帯端末３００は、表示画面３１０、メニュー表示部３２０（端末側メニュー表示部）、端末側送信部３３０を備える。
表示画面３１０は、携帯端末３００が備える表示装置である。
【００２３】
メニュー表示部３２０は、農産物の品質が複数のランクに分けられた希望品質選択メニュー３１１を表示画面３１０に表示する。希望品質選択メニュー３１１とは、例えば、農産物の属性である大きさ、色、味、及び食感等がそれぞれ複数のランクに分けられたものなどである。
希望品質選択メニュー３１１は、ユーザが希望する農産物の品質を選択することができるメニュー画面である。
【００２４】
また、メニュー表示部３２０は、植物工場２００が配置されている複数の地域を表す希望地域選択メニュー３１２を表示画面３１０に表示する。
希望地域選択メニュー３１２は、ユーザが農産物の栽培を希望する地域を選択することができるメニュー画面である。
メニュー表示部３２０の表示内容の詳細については後述する。
【００２５】
端末側送信部３３０は、メニュー表示部３２０により表示画面３１０に表示された希望品質選択メニュー３１１から農産物の品質のランクが選択されると、選択された農産物の品質のランクの情報を、ネットワーク４００を介して情報処理装置１００に送信する。
また、端末側送信部３３０は、メニュー表示部３２０により表示画面３１０に表示された希望地域選択メニュー３１２から特定の地域が選択されると、選択された特定の地域を表す情報を情報処理装置１００に送信する。
以下、顧客により選択された農産物の品質のランクを表す情報及び顧客により選択された特定の地域を表す情報を希望情報と呼ぶ場合もあるものとする。すなわち、端末側送信部３３０は、希望情報を情報処理装置１００に送信する。
【００２６】
情報処理装置１００は、希望情報受信部１１０、処理側希望品質記憶部１２０、記憶装置１３０、処理側希望環境抽出部１４０、処理側送信部１５０を備える。
記憶装置１３０には、希望農産物情報１３１、栽培環境テーブル１３２、希望環境情報１３３が記憶されている。
【００２７】
希望情報受信部１１０は、ネットワーク４００を介して、携帯端末３００の端末側送信部３３０から送信される農産物の品質のランクを受信する。また、希望情報受信部１１０は、ネットワーク４００を介して、携帯端末３００の端末側送信部３３０から送信される特定の地域を受信する。
【００２８】
処理側希望品質記憶部１２０は、希望情報受信部１１０が受信した農産物の品質のランクを希望農産物情報１３１（希望品質ランク）として記憶装置１３０に記憶する。
また、処理側希望品質記憶部１２０は、希望情報受信部１１０が受信した特定の地域を希望農産物情報１３１（希望地域）として記憶装置１３０に記憶する。
希望農産物情報１３１の構成については後述する。
【００２９】
栽培環境テーブル１３２は、予め処理側テーブル記憶部により記憶装置１３０に記憶されている。栽培環境テーブル１３２は、携帯端末３００のメニュー表示部３２０に表示される農産物の品質の複数のランクの各ランクに対して、農産物の品質が各ランクになるように栽培するための栽培環境情報が予め設定されている。
栽培環境テーブル１３２に設定される栽培環境情報とは、例えば、植物工場２００の栽培環境を調整する装置（環境調整機器２２０）を制御するための情報である。
【００３０】
処理側希望環境抽出部１４０は、記憶装置１３０に記憶されている栽培環境テーブル１３２から、処理側希望品質記憶部１２０により記憶された希望農産物情報１３１に相当する農産物の品質のランクに対応する栽培環境情報を希望環境情報１３３として抽出する。処理側希望環境抽出部１４０は、抽出した希望環境情報１３３を記憶装置１３０に記憶する。
【００３１】
処理側送信部１５０は、処理側希望環境抽出部１４０により抽出された希望環境情報１３３を植物工場２００（農産物栽培装置）へ、例えば、ネットワーク４００を介して送信する。
処理側送信部１５０は、処理側希望品質記憶部１２０により希望農産物情報１３１に記憶された希望地域を読み出し、読み出した希望地域に配置されている植物工場２００に希望環境情報１３３を送信する。
【００３２】
情報処理システム５００は、複数の植物工場２００（農産物栽培装置）を備える。ただし、情報処理システム５００が備える植物工場２００は１つであっても構わない。
本実施の形態では、植物工場２００Ａと植物工場２００Ｂと植物工場２００Ｃとは、異なる地域に配置されているものとする。
【００３３】
植物工場２００とは、施設内で植物の生育に必要な環境を空調、風量、養液供給等により人工的に制御し、季節を問わず連続的に安全な農産物を生産できるシステムである。植物工場には、密閉型植物工場と太陽光型植物工場とがある。本実施の形態に係る情報処理システム５００は、密閉型植物工場と太陽光型植物工場とのどちらか、あるいはいずれもが接続されていても適用可能である。
【００３４】
植物工場２００は、環境調整機器２２０、栽培環境制御部２１０を備える。
環境調整機器２２０は、農産物を栽培する環境を調整する装置である。環境調整機器２２０は、例えば、植物工場２００内の温度・湿度を調整するエアコン（エア・コンディショナー）、空気攪拌器（扇風機）、二酸化炭素供給装置、養液供給装置などである。
栽培環境制御部２１０（栽培側環境制御部）は、処理側送信部１５０から希望環境情報１３３を受信し、受信した希望環境情報１３３に基づいて、環境調整機器２２０を制御する。栽培環境制御部２１０は、植物工場２００を制御する制御装置である。
【００３５】
図２は、本実施の形態に係る情報処理装置１００、及び植物工場２００の栽培環境制御部２１０のハードウェア資源の一例を示す図である。図２において、情報処理装置１００は、プログラムを実行するＣＰＵ９１１（Ｃｅｎｔｒａｌ・Ｐｒｏｃｅｓｓｉｎｇ・Ｕｎｉｔ、中央処理装置、処理装置、演算装置、マイクロプロセッサ、マイクロコンピュータ、プロセッサともいう）を備えている。
【００３６】
ＣＰＵ９１１は、バス９１２を介してＲＯＭ９１３、ＲＡＭ９１４、通信ボード９１５、表示装置９０１、キーボード９０２、マウス９０３、ＦＤＤ９０４、ＣＤＤ９０５、プリンタ装置９０６、スキャナ装置９０７、磁気ディスク装置９２０と接続され、これらのハードウェアデバイスを制御する。磁気ディスク装置９２０の代わりに、光ディスク装置、メモリカード読み書き装置などの記憶装置でもよい。
なお、携帯端末３００は、マウス９０３、ＦＤＤ９０４、ＣＤＤ９０５、プリンタ装置９０６等は備えていない。しかし、携帯端末３００は、マウス９０３、ＦＤＤ９０４、ＣＤＤ９０５、プリンタ装置９０６以外の情報処理装置１００とほぼ同じ構成を備えるコンピュータである。
【００３７】
ＲＡＭ９１４は、揮発性メモリの一例である。ＲＯＭ９１３、ＦＤＤ９０４、ＣＤＤ９０５、磁気ディスク装置９２０の記憶媒体は、不揮発性メモリの一例である。これらは、記憶装置あるいは記憶部の一例である。
【００３８】
通信ボード９１５、キーボード９０２、スキャナ装置９０７、ＦＤＤ９０４、表示装置９０１などは、入力部、入力装置の一例である。また、入力装置としてタッチパネル等を備えていてもよい。また、通信ボード９１５、表示装置９０１、プリンタ装置９０６などは、出力部、出力装置の一例である。
【００３９】
通信ボード９１５は、電話回線網を介してファクシミリ機、電話器（携帯電話を含む）に接続されている。また、通信ボード９１５は、ＬＡＮ等に接続されている。通信ボード９１５は、ＬＡＮに限らず、インターネット、ＩＳＤＮ等のＷＡＮ（ワイドエリアネットワーク）などに接続されていても構わない。インターネット或いはＩＳＤＮ等のＷＡＮに接続されている場合、ゲートウェイは不用となる。
【００４０】
磁気ディスク装置９２０には、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。
【００４１】
上記プログラム群９２３には、以下に述べる実施の形態の説明において「〜部」、「〜手段」として説明する機能を実行するプログラムが記憶されている。プログラムは、ＣＰＵ９１１により読み出され実行される。ファイル群９２４には、以下に述べる実施の形態の説明において、「〜の判定結果」、「〜の計算結果」、「〜の処理結果」として説明する情報やデータや信号値や変数値やパラメータが、「〜ファイル」、「〜記憶装置」、「〜データ」の各項目として記憶されている。「〜ファイル」、「〜記憶装置」、「〜データ」は、ディスクやメモリなどの記録媒体に記憶される。ディスクやメモリなどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・出力・印刷・表示などのＣＰＵの動作に用いられる。抽出・検索・参照・比較・演算・計算・処理・出力・印刷・表示のＣＰＵの動作の間、情報やデータや信号値や変数値やパラメータは、メインメモリやキャッシュメモリやバッファメモリに一時的に記憶される。
【００４２】
また、以下に述べる実施の形態の説明において説明するフローチャートの矢印の部分は主としてデータや信号の入出力を示し、データや信号値は、ＲＡＭ９１４のメモリ、ＦＤＤ９０４のフレキシブルディスク、ＣＤＤ９０５のコンパクトディスク、磁気ディスク装置９２０の磁気ディスク、その他光ディスク、ミニディスク、ＤＶＤ（Ｄｉｇｉｔａｌ・Ｖｅｒｓａｔｉｌｅ・Ｄｉｓｋ）等の記録媒体に記録される。また、データや信号は、バス９１２や信号線やケーブルその他の伝送媒体によりオンライン伝送される。
【００４３】
また、以下に述べる実施の形態の説明において「〜部」として説明するものは、「〜回路」、「〜装置」、「〜機器」、「手段」であってもよく、また、「〜ステップ」、「〜手順」、「〜処理」であってもよい。すなわち、「〜部」として説明するものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。ファームウェアとソフトウェアは、プログラムとして、磁気ディスク、フレキシブルディスク、光ディスク、コンパクトディスク、ミニディスク、ＤＶＤ等の記録媒体に記憶される。プログラムはＣＰＵ９１１により読み出され、ＣＰＵ９１１により実行される。すなわち、プログラムは、以下に述べる「〜部」としてコンピュータを機能させるものである。あるいは、以下に述べる「〜部」の手順や方法をコンピュータに実行させるものである。
【００４４】
図３は、本実施の形態に係る携帯端末３００の希望情報取得方法を示すフローチャートである。図４は、本実施の形態に係る情報処理システム５００の処理の流れを示す模式図である。図５は、本実施の形態に係る希望品質選択メニュー３１１の一例である。図６は、本実施の形態に係る希望地域選択メニュー３１２の一例である。
【００４５】
図３〜図６を用いて、携帯端末３００による希望情報取得方法について説明する。
この処理は、図４に示す（１）の矢印の処理の流れを示すものである。以下に（１）の処理の流れを簡単に説明する。
【００４６】
ユーザ（顧客（お客様））は、携帯端末３００に予め記憶されているプログラム（例えば、スマートフォンのアプリ等）や、ウェブ等を通じて提供される希望品質選択メニュー３１１、希望地域選択メニュー３１２に対して、自分の希望する農産物（野菜、果物、その他の植物）の特徴、及び栽培を希望する栽培地域を入力する。入力されたユーザの希望する農産物の特徴（農産物の品質のランク（農産物の属性ともいう））及び栽培地域の希望情報は、ネットワーク４００を介して情報処理装置１００へ送信される。
【００４７】
このように、情報処理システム５００において、携帯端末３００からユーザの希望情報が入力され、入力されたユーザの希望情報がネットワーク４００を介して情報処理装置１００に送信されるまでの動作について説明する。
【００４８】
＜メニュー表示工程：Ｓ１１０〜Ｓ１２０＞
Ｓ１１０において、メニュー表示部３２０は、表示画面３１０に希望品質選択メニュー３１１を表示する。携帯端末３００のメニュー表示部３２０は、携帯端末３００に予め記憶されているプログラム（例えば、スマートフォンのアプリ等）である。あるいは、情報処理装置１００がウェブサーバとして携帯端末３００に提供するメニュー画面（希望品質選択メニュー３１１、希望地域選択メニュー３１２）をメニュー表示部３２０に表示させるものでもよい。
【００４９】
図５に示すように、メニュー表示部３２０は、希望品質選択メニュー３１１（属性選択メニュー）として、例えば、大きさ（サイズ）、いろ、味（苦み）、及び食感を複数のランクに分けて表示する。ここでは、希望品質選択メニュー３１１は、品質（大きさ、いろ、味（苦み）、及び食感）を３段階に分けて表している。農産物の品質（属性）としては、上記の他に、「品種」等を表示してもよい。
また、品質のランクは３段階に限らず、２段階、４段階、５段階以上でもよい。
【００５０】
メニュー表示部３２０は、ユーザにより、大きさ、いろ、味（苦み）、及び食感それぞれについてランクの選択が完了すると、選択された品質のランクの情報を記憶装置に記憶し、処理をＳ１２０に進める。以下、説明を簡単にするため、「大きさ」の３段階（大、普通、小）、「いろ」の３段階（濃い、普通、薄い）、「味（苦み）」の３段階（強い、普通、弱い）、「食感」の３段階（柔らかい、普通、パリッ）を「大、中、小」と表すものとする。
例えば、「食感」の３段階は、「柔らかい、普通、パリッ」であるが、以下、説明の簡単のため、「食感」の３段階を便宜上「大、中、小」と表す場合もあるものとする。具体的には、「柔らかい」を「大」、「普通」を「中」、「パリッ」を「小」と表すものとする。大きさ、いろ、味（苦み）についても同様とする。
【００５１】
Ｓ１２０において、メニュー表示部３２０は、表示画面３１０に希望地域選択メニュー３１２を表示する。
携帯端末３００には、情報処理システム５００に登録されている植物工場２００の位置情報を予め記憶しているものとする。メニュー表示部３２０は、携帯端末３００が備えるＧＰＳ情報等から、携帯端末３００が位置する地域を処理装置により決定する。そして、メニュー表示部３２０は、携帯端末３００が位置する地域近傍の植物工場２００を、予め記憶している植物工場２００の位置情報から少なくとも１つ以上抽出する。そして、メニュー表示部３２０は、抽出した少なくとも１つ以上の植物工場２００の所在地を、地図情報に重畳して希望地域選択メニュー３１２として表示画面３１０に表示する。
【００５２】
メニュー表示部３２０は、希望地域選択メニュー３１２として携帯端末３００が位置する地域近傍の植物工場２００に限らず、例えば、顧客が指定する地域の植物工場２００の所在地を表示してもよい。あるいは、すべての植物工場２００の所在地を表示することにしてもよい。
【００５３】
上記の希望地域選択メニュー３１２の表示処理は、上述したように携帯端末３００に予め記憶されているプログラム（例えば、スマートフォンのアプリ等）により実行してもよい。あるいは、情報処理装置１００により実行し、情報処理装置１００がウェブサーバとして携帯端末３００に希望地域選択メニュー３１２を提供し、提供された希望地域選択メニュー３１２をメニュー表示部３２０が表示するものでもよい。
【００５４】
図１で説明したように、植物工場２００ＡはＡ地点、植物工場２００ＢはＢ地点、植物工場２００ＣはＣ地点にあるものとする。そして、携帯端末３００の現在位置は、Ａ地点、Ｂ地点、Ｃ地点の近傍であるとする。
図６に示すように、メニュー表示部３２０は、地図情報に植物工場２００の所在地Ａ，Ｂ，Ｃを重畳して表示する。
【００５５】
ユーザは、注文する農産物の栽培を希望する地域（地点）を、希望地域選択メニュー３１２から選択する。あるいは、メニュー表示部３２０は、希望地域選択メニュー３１２として植物工場２００の住所の一覧を表示し、植物工場２００の住所の一覧からユーザに希望の植物工場２００を選択させてもよい。
【００５６】
メニュー表示部３２０は、ユーザによる植物工場２００の所在地の選択が完了すると、選択された地域（地点）の情報を記憶装置に記憶し、処理をＳ１３０に進める。
【００５７】
Ｓ１３０において、端末側送信部３３０は、記憶装置に記憶されている選択された農産物の品質のランクの情報と、選択された希望地域（地点）の情報とを、ネットワーク４００を介して情報処理装置１００へ送信する。
【００５８】
以上で、携帯端末３００の希望情報取得処理の説明を終わる。
【００５９】
図７は、本実施の形態に係る情報処理装置１００の農産物提供処理の流れを示すフローチャートである。図８は、本実施の形態に係る希望農産物情報１３１の構成を示す図である。図９は、本実施の形態に係る栽培環境テーブル１３２の構成を示す図である。
図７〜図９を用いて、本実施の形態に係る情報処理装置１００の農産物提供処理の動作について説明する。
【００６０】
＜希望情報受信工程：Ｓ２１０＞
Ｓ２１０において、情報処理装置１００の希望情報受信部１１０は、携帯端末３００から農産物の品質のランクと、農産物の栽培希望地点とを受信する。希望情報受信部１１０は、例えば、農産物の品質のランク及び希望栽培地点として、「大きさ：大、いろ：中、味（苦み）：小、食感：中、栽培場所：Ａ」の情報を受信したとする。
【００６１】
＜希望情報記憶工程：Ｓ２２０＞
Ｓ２２０において、処理側希望品質記憶部１２０は、希望情報受信部１１０が受信した農産物の品質のランク及び希望栽培地点の情報を、希望農産物情報１３１として記憶装置１３０に記憶する。
【００６２】
情報処理システム５００における農産物提供サービスに加入している顧客（ユーザ）は、当該顧客が利用する携帯端末３００を情報処理装置１００に登録するものとする。
希望情報受信部１１０が受信した情報には、送信元の携帯端末３００の情報が付与されており、情報処理装置１００側では、この携帯端末３００の情報から該当の顧客を決定する。この該当の顧客を対象顧客とする。
【００６３】
図８に示すように、希望農産物情報１３１は、情報処理システム５００に加入している顧客に対応して、「大きさ、いろ、味（苦み）、食感、栽培地域」の項目が設定されている。
処理側希望品質記憶部１２０は、希望情報受信部１１０が受信した情報に付与されている送信元の携帯端末３００の情報から、顧客を決定し、決定した顧客に対応する項目にランクを設定する。
【００６４】
例えば、顧客「ＢＢＢさん」の携帯端末３００から「大きさ：大、いろ：中、味（苦み）：小、食感：中、栽培場所：Ａ」と送信された場合、処理側希望品質記憶部１２０は、図８に示すように希望農産物情報１３１の顧客「ＢＢＢさん」の項目に受信日時「２０１２／０９／０３／９：３０」を設定するとともに、品質の各項目にランク（「大きさ：大、いろ：中、味（苦み）：小、食感：中」）を設定し、栽培地域にＡと設定する。
【００６５】
＜Ｓ２３０：希望環境情報抽出工程＞
処理側希望環境抽出部１４０は、記憶装置１３０に記憶されている栽培環境テーブル１３２から、対象顧客の希望農産物情報１３１に相当する品質のランクに対応する栽培環境情報を希望環境情報１３３として抽出する。
この処理は、図４に示す図において、（２）（３）の矢印の処理の流れに対応する。
【００６６】
処理側希望環境抽出部１４０は、記憶装置１３０に記憶された希望農産物情報１３１に保存された対象顧客の希望する「大きさ」、「味」、「食感」、「色」の３段階の情報を読み込む。処理側希望環境抽出部１４０は、この情報を基に、農産物の「大きさ」、「味」、「食感」、「色」の育成に必要な植物工場２００内部の機械（環境調整機器２２０）の動作情報を希望環境情報１３３として栽培環境テーブル１３２から抽出する。
【００６７】
図９に示すように、栽培環境テーブル１３２には、農産物の品質の複数のランクのそれぞれに対応して、エアコンの温度・湿度の設定値、空気攪拌機（扇風機）の風量設定値、二酸化炭素（ＣＯ２）を植物工場２００内部に供給する調整バルブの開閉設定値、植物工場２００内部に設置している養液のｐＨ設定値、濃度設定値、液温設定値などの情報が設定されている。
【００６８】
処理側希望環境抽出部１４０は、例えば、処理対象が「ＢＢＢさん」の希望情報である場合、希望農産物情報１３１から「ＢＢＢさん」の希望情報「大きさ：大、いろ：中、味（苦み）：小、食感：中」を読み込む。処理側希望環境抽出部１４０は、栽培環境テーブル１３２から農産物の品質のランクが「大きさ：大、いろ：中、味（苦み）：小、食感：中」と同一のレコードを処理装置により検索する。
【００６９】
処理側希望環境抽出部１４０は、「ＢＢＢさん」の希望情報と合致するレコードを検出すると、そのレコードに設定されている栽培環境情報を抽出する。
【００７０】
図９に示すように、「ＢＢＢさん」の希望情報「大きさ：大、いろ：中、味（苦み）：小、食感：中」と合致するレコードは、ｎ番目のレコードとして抽出される。処理側希望環境抽出部１４０は、ｎ番目のレコードの栽培環境情報「温度：ａ１、湿度：ｂ１、風量設定値：ｃ１、開閉設定値：ｄ１、ｐＨ設定値：ｅ１、濃度設定値：ｆ１、液温設定値：ｇ１」を希望環境情報１３３として記憶装置１３０に記憶する。
図１０は、希望環境情報１３３の構成を示している。
【００７１】
このように、処理側希望環境抽出部１４０は、抽出した栽培環境情報を希望環境情報１３３として記憶装置１３０に記憶する。
【００７２】
＜希望環境情報送信工程：Ｓ２４０＞
Ｓ２４０において、処理側送信部１５０は、処理側希望環境抽出部１４０により抽出された希望環境情報１３３を、ネットワーク４００を介して対象顧客の希望する栽培地域の植物工場２００へ送信する。
処理側送信部１５０による希望環境情報送信処理（工程）は、図４において、（３）（４）の矢印の流れに相当する処理である。
【００７３】
処理側送信部１５０は、対象顧客の希望する栽培地域を、記憶装置１３０に記憶されている希望農産物情報１３１から読み出す。処理側送信部１５０は、読み出した対象顧客の希望する栽培地域の植物工場２００へ、処理側希望環境抽出部１４０により抽出された希望環境情報１３３を送信する。
【００７４】
例えば、処理側送信部１５０は、対象顧客が「ＢＢＢさん」である場合、希望農産物情報１３１を検索して「ＢＢＢさん」のレコードの「栽培地域」から「Ａ地点」を読み出す。処理側送信部１５０は、読み出した「Ａ地点」の植物工場２００Ａへ、ネットワークを介して希望環境情報１３３を送信する。
【００７５】
以上で、情報処理装置１００の農産物提供処理についての説明を終わる。
【００７６】
植物工場２００の栽培環境制御部２１０は、情報処理装置１００から希望環境情報１３３を受信する。
栽培環境制御部２１０は、受信した希望環境情報１３３に基づいて、植物工場２００内に設置されている環境調整機器２２０を制御する。
【００７７】
具体的には、栽培環境制御部２１０は、植物工場２００内部の温度・湿度が希望環境情報１３３に合うように、環境調整機器２２０であるエアコンを制御する。
また、栽培環境制御部２１０は、植物工場２００内部のＣＯ２濃度が希望環境情報１３３に合うように、環境調整機器２２０である二酸化炭素供給装置の調整バルブ等を制御する。
また、栽培環境制御部２１０は、植物工場２００内部の風量が希望環境情報１３３に合うように、環境調整機器２２０である空気攪拌機（扇風機）の風量設定値を制御する。
また、栽培環境制御部２１０は、植物工場２００内部の養液タンク成分が希望環境情報１３３に合うように、環境調整機器２２０である養液タンクのｐＨ設定値、濃度設定値、液温設定値などを制御する。
【００７８】
このようにして植物工場２００では、顧客の希望に合致した農産物を栽培することができる。
【００７９】
本実施の形態に係る情報処理システム５００では、栽培環境テーブル１３２、栽培管理テーブル１３４等のデータベースを、情報処理装置１００の備える記憶装置１３０に記憶するものとした。しかし、栽培環境テーブル１３２、栽培管理テーブル１３４等のデータベースは、情報処理装置１００に接続された外部のデータベースに記憶されているものとしてもよい。
【００８０】
本実施の形態に係る情報処理システム５００、携帯端末３００、情報処理装置１００は、上述した処理（工程）を、例えば、記憶装置に記憶したプログラムにより実現する。
【００８１】
以上のように、本実施の形態に係る情報処理システム５００は、顧客（お客様）に対し、農産物として育成し提供可能な農産物の特長及び希望する植物工場の場所を、インターネット（Ｗｅｂ・ｓｉｔｅ）もしくはスマートフォン用アプリを介して予め提供し、顧客が選択可能とする。情報処理システム５００は、顧客が希望（入力）した多種多様な希望農産物情報を記録するデータベース（ＤＢ１）と、顧客の希望（ＤＢ１）から顧客の希望する多種多様な農産物に必要な栽培環境情報を栽培環境データベース（ＤＢ２）より抽出する抽出手段と、抽出された農産物栽培環境情報をネットワークを介して植物工場へ提供する手段と、ネットワークを介して提供された栽培環境情報に基づいて植物工場内に栽培環境を実現する栽培環境制御部とを備える。
【００８２】
また、本実施の形態に係る情報処理システム５００は、農産物の特長として、例えば、品種、大きさ、味、色、食感、育成場所を、インターネット（Ｗｅｂ・ｓｉｔｅ）もしくはスマートフォン用アプリを介して顧客に対し予め提供する。情報処理システム５００は、顧客に対しスマートフォンや情報端末より選択を可能とする希望品質選択メニュー、希望地域選択メニューを提供する。情報処理システム５００は、このメニュー画面から顧客が希望（入力）した多種多様な組み合わせの希望内容を入力し、一旦希望農産物情報としてデータベース（ＤＢ１）へ記録する。情報処理システム５００は、顧客の希望農産物情報（ＤＢ１）から、顧客の希望する農産物に必要な栽培環境情報を特定し、栽培環境データベース（ＤＢ２）より栽培に必要な情報として、植物工場内部の温度、湿度、ＣＯ２濃度、風量、養液成分等の情報を抽出する。情報処理システム５００は、抽出された栽培環境情報をネットワークを介して植物工場へ提供する。情報処理システム５００は、提供された栽培環境情報に基づいて、植物工場内に設置している栽培環境制御部により、植物工場内部の温度を栽培環境情報に合わせて制御し、同内部の湿度を制御し、同内部のＣＯ２濃度を制御し、同内部の風量を制御し、養液タンク成分を制御する。
【００８３】
以上のように、本実施の形態に係る情報処理システム５００によれば、顧客は携帯端末３００から簡単に所望の農産物の注文をすることができる。
また、提供可能な農産物の品質（特長、属性）として、例えば、品種、大きさ、味、色、食感、育成場所等をメニュー画面で提供するので、より使い易いシステムを提供することができる。また、これらの農産物の品質（特長、属性）は、上述したものに限られるものではなく、他の農産物の品質（特長、属性）を提供してもよいし、提供する農産物の品質（特長、属性）の数を減らしてもよい。
【００８４】
実施の形態２．
本実施の形態について、主に実施の形態１との差異を説明する。
図１１は、本実施の形態に係る情報処理システム５０１のブロック構成図である。図１２は、本実施の形態に係る栽培管理テーブル１３４の構成を示す図である。
【００８５】
本実施の形態では、実施の形態１で説明した機能構成と同様の機能構成については、同一の符号を付し、その説明を省略する。
【００８６】
図１１に示すように、情報処理システム５０１は、情報処理装置１００に、栽培管理情報抽出部１６０、栽培管理情報監視部１７０を備える。また、記憶装置１３０には、栽培管理テーブル１３４、希望管理情報１３５、センサー情報１３６が記憶される。また、植物工場２００は、センサー２３０を備える。
【００８７】
本実施の形態に係る情報処理システム５０１では、植物工場２００に希望環境情報１３３を送信した後、植物工場２００から実際の栽培環境の情報を受信し、受信した情報に基づいて植物工場２００の栽培環境を監視する栽培環境監視処理について説明する。
【００８８】
栽培管理テーブル１３４は、管理項目（管理する品質）と管理水準（品質を実現するための栽培環境の許容範囲）を示しており、これらを組み合わせて顧客が希望する農産物の品質のランクを実現するためのものである。
【００８９】
栽培管理テーブル１３４は、農産物の品質のランク毎に、農産物が当該品質のランクになるように栽培するための適切な植物工場２００の栽培環境の範囲が予め設定されている。
図１２に示すように、栽培管理テーブル１３４は、品質毎のテーブルとして、予め記憶装置１３０に記憶されている。栽培管理テーブル１３４は、品質「大きさ」のテーブル、品質「いろ」のテーブル、品質「味（苦み）」のテーブル、品質「食感」のテーブルを備える。
【００９０】
例えば、栽培管理テーブル１３４の品質「大きさ」のテーブルの場合、品質「大きさ」のランク「大、中、小」に対して、それぞれ適切な栽培環境の範囲が設定されている。適切な栽培環境の範囲とは、養液のｐＨ値の範囲、養液の濃度の範囲、養液の液温の範囲、光量の範囲、風量の範囲、ＣＯ２の範囲、湿度の範囲が設定されている。これらの栽培環境の項目は、品質のテーブル毎に異なっていてもよい。
【００９１】
図１３は、本実施の形態に係る情報処理システム５０１の栽培環境監視処理の流れを示すフローチャートである。図１４は、本実施の形態に係る情報処理システム５０１の処理の流れを示す模式図である。
図１３及び図１４を用いて、情報処理システム５０１の栽培環境監視処理について説明する。
【００９２】
＜希望管理情報抽出工程：Ｓ３１０＞
栽培管理情報抽出部１６０は、記憶装置１３０に記憶されている対象顧客の希望農産物情報１３１と、栽培管理テーブル１３４とに基づいて、対象顧客が希望する農産物を栽培するための植物工場２００における栽培環境の許容範囲を希望管理情報１３５として読み出す。
この処理は、図１４において、（５）の矢印の処理に対応する。
【００９３】
栽培管理情報抽出部１６０は、希望農産物情報１３１に基づいて、顧客が希望する農産物を育成するのに必要な希望管理情報１３５として、植物工場２００内部の温度・湿度情報、空気攪拌機（扇風機）の風量情報、二酸化炭素（ＣＯ２）濃度、養液タンク内部のｐＨ情報、養液の濃度情報、養液の液温（水温）情報などの管理数値情報を栽培管理テーブル１３４より抽出する。
【００９４】
栽培管理情報抽出部１６０は、読み出した管理数値情報を処理装置により組み合わせて、希望管理情報１３５として記憶装置１３０に記憶する。
【００９５】
＜センサー情報入力工程：Ｓ３２０＞
植物工場２００内部には、植物工場２００内部の栽培環境状態を検出する各種のセンサー２３０（検出部）が設置されている。センサー２３０は、例えば、温度及び湿度を検知する温度・湿度センサー、風量を検出する空気攪拌機（扇風機）の風量検出センサー、二酸化炭素（ＣＯ２）濃度検出センサー、養液タンク内部のｐＨ検出センサー、養液濃度センサー、養液の液温センサーなどである。その他にも、植物工場２００は、植物工場２００内部の光量を検出する光量センサーなどを備えていてもよい。
【００９６】
植物工場２００内部の環境調整機器２２０の動作が開始されると、温度・湿度センサー、空気攪拌機（扇風機）の風量検出センサー、二酸化炭素（ＣＯ２）濃度検出センサー、養液タンク内部のｐＨ検出センサー、養液濃度センサー、養液の液温センサーなどの各センサー２３０は、数値の検出を開始する。各センサー２３０は、検出した数値をネットワーク４００を介してリアルタイムに情報処理装置１００の栽培管理情報監視部１７０へ送信する。
【００９７】
栽培管理情報監視部１７０は、植物工場２００の各種センサー２３０から送信された各種センサー２３０の数値を受信し、受信した数値をセンサー情報１３６として記憶装置１３０に記憶する。
【００９８】
図１５は、本実施の形態に係るセンサー情報１３６の一例を示す図である。図１５に示すように、栽培管理情報監視部１７０は、例えば、植物工場Ａから各種センサー２３０の数値を受信すると、温度・湿度情報、風量情報、二酸化炭素（ＣＯ２）濃度情報、養液のｐＨ情報、養液の濃度情報、養液の液温情報を植物工場Ａのセンサー情報１３６として記憶する。
この処理は、図１４において、（６）（７）の矢印の処理に相当する。
【００９９】
＜栽培状態監視工程：Ｓ３３０〜Ｓ３５０＞
Ｓ３３０において、栽培管理情報監視部１７０は、記憶装置１３０に記憶したセンサー情報１３６の各数値と、顧客が希望する農産物を育成するのに必要な希望管理情報１３５とを照合する。
この処理は、図１４において、（８）の矢印の処理に相当する。
【０１００】
Ｓ３４０において、栽培管理情報監視部１７０は、センサー情報１３６の各数値が希望管理情報１３５の許容範囲内にあるか否かを処理装置により判定する。つまり、栽培管理情報監視部１７０は、センサー情報１３６の各数値が、センサー毎に各々管理している希望管理情報１３５の許容範囲を逸脱しているか否かについて処理装置により判定する。
【０１０１】
センサー情報１３６の各数値が希望管理情報１３５の対応する数値を下回っていた場合あるいは上回っていた場合（センサー情報１３６の各数値が対応する希望管理情報１３５の数値範囲に適合しない場合）（Ｓ３４０にてＮＯ）には、栽培管理情報監視部１７０はＳ３６０に処理を進める。
【０１０２】
センサー情報１３６の各数値が対応する希望管理情報１３５の数値範囲に適合する場合）（Ｓ３４０にてＹＥＳ）には、栽培管理情報監視部１７０はＳ３５０に処理を進める。
【０１０３】
Ｓ３５０において、栽培管理情報監視部１７０は、次のセンサー情報１３６の入力を待つ。あるいは、栽培管理情報監視部１７０は、定期的に栽培環境監視処理を実行するものとし、Ｓ３５０において次の栽培環境監視処理が開始されるまで処理を停止する。
【０１０４】
＜栽培環境フィードバック制御処理：Ｓ３６０〜３７０＞
栽培環境フィードバック制御処理は、図１４において、（９）の矢印で示される処理である。
Ｓ３６０において、栽培管理情報監視部１７０（環境修正情報生成部）は、処理対象の植物工場２００のセンサー情報１３６を希望管理情報１３５に適合させるためのフィードバック用環境情報（環境修正情報）を生成する。
Ｓ３７０において、栽培管理情報監視部１７０は、生成したフィードバック用環境情報を処理対象の植物工場２００へ送信する。フィードバック用環境情報を処理対象の植物工場２００へ送信するのは、処理側送信部１５０でもよい。
【０１０５】
植物工場２００の栽培環境制御部２１０は、栽培管理情報監視部１７０からフィードバック用環境情報を受信し、受信したフィードバック用環境情報に基づいて環境調整機器２２０の修正制御を実行し、修正制御によって環境調整機器２２０を介して植物工場２００の栽培環境を修正する。
【０１０６】
言い換えると、Ｓ３６０〜Ｓ３７０では、栽培管理情報監視部１７０は、フィードバック用環境情報として、植物工場２００内部の機械の動作情報であるエアコンの温度・湿度の設定値、空気拡販機（扇風機）の風量設定値、二酸化炭素（ＣＯ２）を植物工場内部に供給する調整バルブの開閉設定値、植物工場内部に設置している養液のｐＨ設定値、濃度設定値、液温設定値などの情報を生成し、植物工場２００内部の栽培環境制御部２１０へフィードバックを掛けて、各種設定値の修正を自動的に実施する。
【０１０７】
以上で、情報処理システム５０１の栽培環境監視処理についての説明を終わる。
【０１０８】
以上のように、本実施の形態に係る情報処理システム５０１は、植物工場内で育成している農産物の栽培環境情報を取得するセンサーと、センサーより取得した栽培管理情報を一定水準の範囲で自動的に監視する際に基準とする栽培管理データベース（ＤＢ３）とを備える。情報処理システム５０１では、例えば、６つの項目（温度及び湿度、風量、ＣＯ２濃度、養液ｐＨ値、養液濃度、養液水温）に対し植物工場内部に栽培環境情報を取得するセンサーを配置して、一定時間間隔でセンサーより取得したセンサー情報をネットワークを介して栽培管理情報監視部へ送信する。また、情報処理システム５０１では、送信されたセンサー情報を、予め抽出しておいた希望管理情報（ＤＢ３）と照合し、所定の範囲を超えた、もしくは下回った場合は、温度及び湿度、風量、ＣＯ２濃度、養液ｐＨ値、養液濃度、養液水温等が一定の範囲に入るように、植物工場内部の栽培環境制御部へ自動制御する制御方法と制御プログラムとを備える。
【０１０９】
したがって、本実施の形態に係る情報処理システム５０１によれば、顧客が希望する農産物の育成環境を確実に継続することができ、希望する農産物を確実に栽培することができる。また、植物工場内部で自動制御により育成条件を適確に管理・栽培することができるので、顧客の希望する品質（色・味・食感・大きさ等）の農産物を自動的に確実に提供することができる。
【０１１０】
また、実施の形態１〜２に係る情報処理システム５００，５０１では、農産物の大きさ、色、味（苦み）、食感などの品質（特長）を各々３段階に分類し顧客への選択肢として提供する。農産物の育成は、品質をさらに細かく分けて栽培することが可能であるが、３段階以上の分類は人間の五感による判別があいまいとなる事が予想され、品質を３段階（または２段階）とするのが好適である。
【０１１１】
また、実施の形態１〜２に係る情報処理システム５００，５０１では、分類された農産物の育成（品質（特長）のちがい）を実現するために、植物工場内部に設置された温度・湿度センサー、空気攪拌機（扇風機）の風量検出センサー、二酸化炭素（ＣＯ２）濃度検出センサー、養液タンク内部のｐＨ検出センサー、養液濃度センサー、養液の液温センサーなどの各センサー情報を各々管理水準の最大範囲を３段階に分割して管理する。しかし、各センサー情報を管理するための範囲の分類は、３段階でなくても構わない。
情報処理システム５００，５０１では、顧客の希望する農産物のよりよい育成のために、３段階の中から予め栽培管理情報抽出部１６０がＤＢ３より選定し、栽培管理情報監視部１７０が選定したこれらの情報を組み合わせて希望管理情報とし、栽培管理を実施する。
【０１１２】
以上、本発明の実施の形態について説明したが、これらの実施の形態のうち、２つ以上を組み合わせて実施しても構わない。あるいは、これらの実施の形態のうち、１つを部分的に実施しても構わない。あるいは、これらの実施の形態のうち、２つ以上を部分的に組み合わせて実施しても構わない。なお、本発明は、これらの実施の形態に限定されるものではなく、必要に応じて種々の変更が可能である。
【０１１３】
上記実施の形態１〜２の説明では、「希望情報受信部」、「処理側希望品質記憶部」、「処理側希望環境抽出部」、「処理側送信部」、「栽培管理情報抽出部」、「栽培管理情報監視部」などがそれぞれ独立した機能ブロックとして情報処理装置１００を構成している。しかし、これに限られるわけではなく、例えば、「希望情報受信部」と「処理側希望品質記憶部」とをひとつの機能ブロックで実現し、「処理側希望環境抽出部」と「処理側送信部」と「栽培管理情報抽出部」と「栽培管理情報監視部」とをひとつの機能ブロックで実現しても良い。あるいは、これらの機能ブロックを、他のどのような組み合わせで情報処理装置１００を構成しても構わない。
上記機能ブロックについての記載は、携帯端末３００、植物工場２００の制御装置においても同様に適用される。
【符号の説明】
【０１１４】
１００  情報処理装置、１１０  希望情報受信部、１２０  処理側希望品質記憶部、１３０  記憶装置、１３１  希望農産物情報、１３２  栽培環境テーブル、１３３  希望環境情報、１３４  栽培管理テーブル、１３５  希望管理情報、１３６  センサー情報、１４０  処理側希望環境抽出部、１５０  処理側送信部、１６０  栽培管理情報抽出部、１７０  栽培管理情報監視部、２００  植物工場、２１０  栽培環境制御部、２２０  環境調整機器、２３０  センサー、３００  携帯端末、３１０  表示画面、３１１  希望品質選択メニュー、３１２  希望地域選択メニュー、３２０  メニュー表示部、３３０  端末側送信部、４００  ネットワーク、５００，５０１  情報処理システム、９０１  表示装置、９０２  キーボード、９０３  マウス、９０４  ＦＤＤ、９０５  ＣＤＤ、９０６  プリンタ装置、９０７  スキャナ装置、９１０  システムユニット、９１１  ＣＰＵ、９１２  バス、９１３  ＲＯＭ、９１４  ＲＡＭ、９１５  通信ボード、９２０  磁気ディスク装置、９２１  ＯＳ、９２２  ウィンドウシステム、９２３  プログラム群、９２４  ファイル群。
【図１】
2016000001.tif 000003
【図２】
2016000001.tif 000004
【図３】
2016000001.tif 000005
【図４】
2016000001.tif 000006
【図５】
2016000001.tif 000007
【図６】
2016000001.tif 000008
【図７】
2016000001.tif 000009
【図８】
2016000001.tif 000010
【図９】
2016000001.tif 000011
【図１０】
2016000001.tif 000012
【図１１】
2016000001.tif 000013
【図１２】
2016000001.tif 000014
【図１３】
2016000001.tif 000015
【図１４】
2016000001.tif 000016
【図１５】
2016000001.tif 000017